(57)【要約】【課題】  外観上シャープなデザインを維持しつつ、ユーザ等の使い勝手に支障をきたさない筐体と、その筐体に回路等を収容した電子機器を提供する。【解決手段】  本発明の筐体４においては、前面パネル６の第１上面部６２に対し、前面部６１、第１左側面部６３及び第１右側面部６４が略直交しておりシャープな形状を実現している。また、本体ケース５は金属板を曲げ加工して形成されてその隅部８８が丸みを帯びたＲ形状となっているが、前面パネル６の角部６９が本体ケース５の隅部８８よりも外方に突出してこれを覆い隠すように配置されるため、筐体４全体としてシャープなデザインが維持される。また、前面パネル６の後端部に、その角部６９から本体ケース５の隅部８８に当接する突き当て部７０にかけて内方に傾斜するテーパ７１が形成され、その角部６９の周辺が滑らかにされているため、その使い勝手を良くすることができる。【選択図】  図６
2005236077.tif 000002
【特許請求の範囲】
【請求項１】
電子機器の回路を内部に収容する筐体において、
少なくとも、前面部と、当該前面部の上端側に連続的に形成され当該前面部と略直交する第１上面部と、前記前面部の左端側と前記第１上面部の左端側とから連続的に形成され各面と略直交する第１左側面部と、前記前面部の右端側と前記第１上面部の右端側とから連続的に形成され各面と略直交する第１右側面部とを有し、前記第１左側面部、前記第１上面部、及び前記第１右側面部の各後端部は、前記前面部と略平行な平面上に配される樹脂製の前面パネルと、
金属板の一部が屈曲されることにより形成され、少なくとも、前記前面パネルの第１上面部に平行な第２上面部と、前記第１左側面部に平行な第２左側面部と、前記第１右側面部に平行な第２右側面部とを有し、前記第２上面部、前記第２左側面部、及び前記第２右側面部の各前端部は、前記前面部と略平行な平面上に配され、前記前面パネルの前記第１左側面部、前記第１上面部、及び前記第１右側面部の各後端部に当接されることにより、前記前面パネルと一体となって内部の前記回路を覆うように設けられる金属ケースと、
を備え、
前記第１左側面部、前記第１上面部、及び前記第１右側面部により形成される前記前面パネルの後端部に形成される角部は、前記第２左側面部、前記第２上面部、及び前記第２右側面部により形成される、前記金属ケースの前記前端部の角部に対向する位置に配される隅部よりも外方に突出し、前記前面パネルの後端部は、前記前面パネルの前記隅部よりも外方に突出する前記角部から、前記金属ケースの隅部に当接する突き当て部にかけて内方に傾斜するテーパが形成されていることを特徴とする筐体。
【請求項２】
前記前面パネルの後端部の角部に形成される前記テーパは、角錐形状であることを特徴とする請求項１記載の筐体。
【請求項３】
前記前面パネルの後端部の角部に形成される前記テーパは、円錐形状であることを特徴とする請求項１記載の筐体。
【請求項４】
前記前面パネルの後端部の角部に形成される前記テーパは、前記角部から前記突き当て部にかけて曲率半径が徐々に大きくなるように形成されることを特徴とする請求項３記載の筐体。
【請求項５】
前記テーパの前記突き当て部における曲率半径は、前記金属ケースの隅部の曲率半径に略一致していることを特徴とする請求項４記載の筐体。
【請求項６】
前記第１上面部、前記第１左側面部、及び前記第１右側面部と、前記テーパと、前記第２上面部、前記第２左側面部、及び前記第２右側面部とが、略連続的な平面を形成していることを特徴とする請求項１記載の筐体。
【請求項７】
回路と、
少なくとも、前面部と、当該前面部の上端側に連続的に形成され当該前面部と略直交する第１上面部と、前記前面部の左端側と前記第１上面部の左端側とから連続的に形成され各面と略直交する第１左側面部と、前記前面部の右端側と前記第１上面部の右端側とから連続的に形成され各面と略直交する第１右側面部とを有し、前記第１左側面部、前記第１上面部、及び前記第１右側面部の各後端部は、前記前面部と略平行な平面上に配される樹脂製の前面パネルと、金属板の一部が屈曲されることにより形成され、少なくとも、前記前面パネルの第１上面部に平行な第２上面部と、前記第１左側面部に平行な第２左側面部と、前記第１右側面部に平行な第２右側面部とを有し、前記第２上面部、前記第２左側面部、及び前記第２右側面部の各前端部は、前記前面部と略平行な平面上に配され、前記前面パネルの前記第１左側面部、前記第１上面部、及び前記第１右側面部の各後端部に当接されることにより、前記前面パネルと一体となって内部の前記回路を覆うように設けられる金属ケースと、を備え、前記第１左側面部、前記第１上面部、及び前記第１右側面部により形成される前記前面パネルの後端部に形成される角部は、前記第２左側面部、前記第２上面部、及び前記第２右側面部により形成される、前記金属ケースの前記前端部の角部に対向する位置に配される隅部よりも外方に突出し、前記前面パネルの後端部は、前記前面パネルの前記隅部よりも外方に突出する前記角部から、前記金属ケースの隅部に当接する突き当て部にかけて内方に傾斜するテーパが形成されていることを特徴とする筐体と、
を備える電子機器。
【請求項８】
前記前面パネルの後端部の角部に形成される前記テーパは角錐形状であることを特徴とする請求項７記載の電子機器。
【請求項９】
前記前面パネルの後端部の角部に形成される前記テーパは円錐形状であることを特徴とする請求項７記載の電子機器。
【請求項１０】
前記前面パネルの後端部の角部に形成される前記テーパは前記角部から前記突き当て部にかけて曲率半径が徐々に大きくなるように形成されることを特徴とする請求項９記載の電子機器。
【請求項１１】
前記テーパの前記突き当て部における曲率半径は、前記金属ケースの隅部の曲率半径に略一致していることを特徴とする請求項１０記載の電子機器。
【請求項１２】
前記第１上面部、前記第１左側面部、及び前記第１右側面部と、前記テーパと、前記第２上面部、前記第２左側面部、及び前記第２右側面部とが、略連続的な平面を形成していることを特徴とする請求項７記載の電子機器。
【発明の詳細な説明】
【技術分野】
【０００１】
本発明は、内部に回路を収容するための筐体、及びその筐体を備えた電子機器に関する。
【背景技術】
【０００２】
一般に、オーディオ機器等の電子機器の筐体は、制御回路や各種スイッチ機構等の機能部品を収容するための箱状の本体ケースと、その本体ケースの前面開口部を覆うように取り付けられる前面パネルとから構成されている（例えば特許文献１）。
【０００３】
この筐体の本体ケースは、一般に、内部の制御回路等から発せられる輻射熱を遮蔽するために金属ケースとなっており、また、前面パネルは、各スイッチ機構の操作部を露出させる複数の孔が設けられた操作面を一体成形するために、樹脂製のパネルとなっている。
【０００４】
ところで、このような筐体のデザインは市場においてその電子機器の売れ行きを大きく左右するため、例えば前面パネルを正面からみたときにシャープになるようなデザインを施すことが行われたりする。図１０はこのようなデザインが施されたマイクロコンポの筐体の概略構成を表す分解斜視図である。
【０００５】
同図に示すように、このマイクロコンポの筐体１１０は、金属板を曲げ加工して構成した側壁を有する箱状の本体ケース１２０と、その本体ケース１２０の前面開口部１２１を閉塞するように取り付けられる樹脂製の前面パネル１３０とから構成される。本体ケース１２０は、その４つの角部１２２が曲げ加工のためにＲ形状となっているのに対し、前面パネル１３０は、筐体１１０の全体が前方からシャープにみえるように、本体ケース１２０の外形よりもやや大きく、かつその角部１３２が略直角のエッジ状に形成されている。
【０００６】
図１１は前面パネル１３０の形状を表す説明図であり、同図（Ａ）はその平面図であり、同図（Ｂ）はそのＤ部拡大図である。同図に示す例では、例えば前面パネル１３０の後端に、デザインの都合上僅かに内方へ小さくなる段差が設けられており、その段差部１３３の後端面のやや内側にガイド用のリブ１３４が形成されるとともに、その後端面のリブ１３４の外側に本体ケース１２０の先端を当接させる当接面１３５が形成されている。
【０００７】
図１２は本体ケース１２０と前面パネル１３０との接続部の構造を表す説明図であり、同図（Ａ）はその接続部の様子を斜め後方からみた部分斜視図であり、同図（Ｂ）はそのＥ方向からみた部分側面図であり、同図（Ｃ）はそのＦ方向からみた部分背面図である。
【０００８】
これらの図に示すように、前面パネル１３０が本体ケース１２０の前面開口部１２１を完全に覆うとともに、その上面部１３６と側面部１３７とが略直交するように形成されているため、筐体１１０全体を前方からみてシャープなデザインが維持される。
【特許文献１】特開平８−１７１７７号公報
【発明の開示】
【発明が解決しようとする課題】
【０００９】
しかしながら、上述のようにシャープなデザインを維持するために、前面パネル１３０の後端部には本体ケース１２０のやや外側で角部１３８が露出する。このため、筐体１１０を運搬したり移動させたりする際に、この角部１３８の大きさによっては作業者又はユーザの身体に傷をつけてしまうことが懸念される。
【００１０】
本発明はこのような点に鑑みてなされたものであり、外観上シャープなデザインを維持しつつ、ユーザ等の使い勝手に支障をきたさない筐体と、その筐体に回路等を収容した電子機器を提供することを目的とする。
【課題を解決するための手段】
【００１１】
本発明では上記問題を解決するために、電子機器の回路を内部に収容する筐体において、少なくとも、前面部と、当該前面部の上端側に連続的に形成され当該前面部と略直交する第１上面部と、前記前面部の左端側と前記第１上面部の左端側とから連続的に形成され各面と略直交する第１左側面部と、前記前面部の右端側と前記第１上面部の右端側とから連続的に形成され各面と略直交する第１右側面部とを有し、前記第１左側面部、前記第１上面部、及び前記第１右側面部の各後端部は、前記前面部と略平行な平面上に配される樹脂製の前面パネルと、金属板の一部が屈曲されることにより形成され、少なくとも、前記前面パネルの第１上面部に平行な第２上面部と、前記第１左側面部に平行な第２左側面部と、前記第１右側面部に平行な第２右側面部とを有し、前記第２上面部、前記第２左側面部、及び前記第２右側面部の各前端部は、前記前面部と略平行な平面上に配され、前記前面パネルの前記第１左側面部、前記第１上面部、及び前記第１右側面部の各後端部に当接されることにより、前記前面パネルと一体となって内部の前記回路を覆うように設けられる金属ケースと、を備え、前記第１左側面部、前記第１上面部、及び前記第１右側面部により形成される前記前面パネルの後端部に形成される角部は、前記第２左側面部、前記第２上面部、及び前記第２右側面部により形成される、前記金属ケースの前記前端部の角部に対向する位置に配される隅部よりも外方に突出し、前記前面パネルの後端部は、前記前面パネルの前記隅部よりも外方に突出する前記角部から、前記金属ケースの隅部に当接する突き当て部にかけて内方に傾斜するテーパが形成されていることを特徴とする筐体が提供される。
【００１２】
このような筐体においては、第１上面部に対して、前面部、第１左側面部、第１右側面部がそれぞれ連続的に略直交してシャープな形状の前面パネルが構成される。一方、金属ケースは金属板の一部を屈曲して形成されるためにその隅部に丸みを有するが、前面パネルの後端部に形成される角部が金属ケースの隅部よりも外方に突出しているため、筐体を前方からみたときには前面パネルによって金属ケースが覆い隠される。その結果、筐体全体として前方からみたときにシャープなデザインが維持される。
【００１３】
そして、前面パネルの後端部には、その角部から金属ケースの隅部に当接する突き当て部にかけて内方に傾斜するテーパが形成されているため、その角部を滑らかにすることができる。
【発明の効果】
【００１４】
本発明の筐体によれば、前面パネルの第１上面部に対して前面部、第１左側面部、第１右側面部が略直交し、さらに、その前面パネルの角部が金属ケースの隅部よりも外方に突出しているため、筐体全体としてシャープなデザインが維持される。
【００１５】
また、前面パネルの後端部に、その角部から金属ケースの隅部に当接する突き当て部にかけて内方に傾斜するテーパが形成されてその角部周辺が滑らかにされているため、その角部がユーザ等の身体に当たっても傷つけることがなく、その使い勝手を良くすることができる。
【発明を実施するための最良の形態】
【００１６】
以下、本発明の実施の形態を図面に基づいて詳細に説明する。本実施の形態は、本発明をマイクロコンポ（電子機器）の筐体に適用したものである。図１は当該マイクロコンポの外観を表す斜視図であり、図２は当該マイクロコンポの装置本体の外観を表す正面図である。
【００１７】
図１に示すように、マイクロコンポ１は、オーディオ処理を行う装置本体２と、その左右両側にそれぞれ配置されて音声出力を行うスピーカ３とから構成されている。
図２に示すように、装置本体２には、コンパクトディスク（ＣＤ）の再生が行われるディスクプレーヤ部１２、テープカセットの記録再生が行われるカセットプレーヤ部１３、内蔵のチューナ部１４、装置の動作状態等を表示するディスプレイ部１５等が設けられている。
【００１８】
装置本体２を構成する筐体４の操作面には、ディスクプレーヤ部１２、カセットプレーヤ部１３及びチューナ部１４の各種操作を行う複数の操作部が露出して設けられ、筐体４内には、各操作部の操作を検知する複数のスイッチ機構が設けられている。同図の例では、ディスクプレーヤ部１２の操作部として、ＣＤを挿入するディスクスロット２１に隣接したエジェクトボタン２２、再生／一時停止ボタン２３及び停止ボタン２４が設けられ、カセットプレーヤ部１３の操作部として、テープカセットを挿入するカセットデッキ３１の近傍の操作面に、エジェクトボタン３２、再生ボタン３３、停止ボタン３４、一時停止ボタン３５及び録音ボタン３６が設けられている。また、ディスクプレーヤ部１２とカセットプレーヤ部１３の間の操作面には、チューナ部１４の操作部としてチューナ／バンドボタン４１が設けられ、全体的な操作部として、ジョグダイヤル４２、電源ボタン４３、ボリュームダイヤル４４、ＢＡＳＳ調整ダイヤル４５、ＴＲＥＢＬＥ調整ダイヤル４６などが設けられている。ここで、ジョグダイヤル４２は、ジョグ式スイッチのスイッチ機構を構成する操作部であり、カセットプレーヤ部１３の動作モードとなっているときには、早送り／巻き戻し動作を行うように機能し、チューナ部１４の動作モードとなっているときには、チューニング周波数の設定動作を行うように機能する。このジョグダイヤル４２は、その中立位置から図の時計回り又は反時計回りに所定角度（２０〜３０°程度）回転操作することによって、早送り／巻き戻し動作の開始及びその送り速度の調整を行うことができ、また、チューニング周波数を連続的に上下させることができるようになっている。
【００１９】
次に、マイクロコンポ１の制御部の電気的構成について説明する。図３は当該電気的構成の概略を表すブロック図である。
同図に示すように、マイクロコンポ１の制御部は、マイコン５１を中心に構成されており、電源回路５２から供給された電源電圧を受けて動作する。この電源回路５２は、ＡＣコンセントプラグから交流電源電圧を取り込み、整流、平滑、ＤＣ−ＤＣコンバート処理等を行って所定の直流動作電源電圧を生成して各部に出力する。
【００２０】
マイコン５１は、上述した各種ボタンや各種ダイヤル等からなる操作部５３からの入力に従って所定の動作プログラムに基づいた演算処理を行い、ディスクプレーヤ部１２、カセットプレーヤ部１３及びチューナ部１４等に制御信号を出力する。各部の動作状態は、マイコン５１から表示データを受け取った表示ドライバ５９がドライブ信号を出力することでディスプレイ部１５に表示される。
【００２１】
ディスクプレーヤ部１２のディスクドライブ５４（メカデッキ）は、ディスクスロット２１に挿入されたＣＤをスピンドルモータにより回転駆動させ、同時にディスク記録面にレーザ照射を行って、その反射光情報から得られる再生データ（再生ＲＦ信号）を出力する。
【００２２】
ディスクドライブ５４から出力された再生データは、再生デコード部５５でＥＦＭ復調処理、エラー検出／訂正処理等が施されてデジタル音声信号となり、さらにＤ／Ａ変換されてＬ，Ｒの２チャンネルのアナログ音声信号として出力される。出力されたアナログ音声信号はファンクション切換部５６に出力される。
【００２３】
チューナ部１４は、図示しないアンテナから取り込まれたＡＭ／ＦＭの受信放送電波に、同調、中間周波増幅、検波等の処理を行って受信音声信号を出力する。出力された受信音声信号はファンクション切換部５６に出力される。
【００２４】
カセットプレーヤ部１３のカセットデッキ３１にカセットテープが挿入されると、録音／再生回路５７が、その録音、再生等の処理を実行する。録音／再生回路５７から出力された再生信号はファンクション切換部５６に出力される。
【００２５】
ファンクション切換部５６は、マイコン５１からの指令信号に基づいて、ディスクプレーヤ部１２、カセットプレーヤ部１３及びチューナ部１４のいずれかの動作モードへの切換処理を行い、その動作モードの音声信号をオーディオ処理部５８に出力する。オーディオ処理部５８に入力された音声信号は、ここで増幅、イコライジング処理等が行われ、スピーカ３を介して音声として出力される。
【００２６】
次に、本実施の形態の装置本体を構成する筐体の構造について説明する。図４は筐体の概略構成を表す分解斜視図であり、図５は筐体を構成する前面パネルの斜め後方からみた概略構成を表す斜視図である。
【００２７】
図４に示すように、装置本体２の筐体４は、制御回路等の各種機能部品を収容する箱状の本体ケース５と、その前面開口部を閉塞するように取り付けられる樹脂製の前面パネル６とから構成されている。
【００２８】
前面パネル６は、樹脂材を一体成形することにより形成され、図４及び図５に示すように、上記各種ボタンや各種ダイヤルをその操作面に露出させる複数の孔を有する前面部６１と、前面部６１の上端側に連続的に形成され、前面部６１と略直交する第１上面部６２と、前面部６１の左端側と第１上面部６２の左端側とから連続的に形成され各面と略直交する第１左側面部６３と、前面部６１の右端側と第１上面部６２の右端側とから連続的に形成され各面と略直交する第１右側面部６４と、前面部６１，第１左側面部６３及び第１右側面部６４の各下端側から連続的に形成され各面と略直交する第１底面部６５とを有する。このように、前面部６１に対して第１上面部６２，第１左側面部６３及び第１右側面部６４が略直交するように形成されているため、各面の接続部がシャープなデザインに構成されている。
【００２９】
図６は前面パネル６の構造を表す説明図であり、同図（Ａ）は前面パネル６の上半部の構造を表す背面図であり、同図（Ｂ）はそのＡ部拡大図である。また、図７は前面パネル６の構造を表す説明図であり、同図（Ａ）は前面パネル６の平面図であり、同図（Ｂ）はそのＢ部拡大図である。
【００３０】
これらの図に示すように、第１上面部６２、第１左側面部６３、及び第１右側面部６４の各後端部には、僅かに内方へ小さくなる段差が設けられており、その段差部６６の後端面のやや内側にガイド用のリブ６７が形成されるとともに、その後端面のリブ６７の外側に本体ケース５の先端を当接させる当接面６８が形成されている。すなわち、前面パネル６は本体ケース５よりも大きくなっており、この当接面６８は前面部６１と略平行な平面上に配され、その当接面６８の外形線６８ａが本体ケース５の前端部の外周縁の形状（図６（Ｂ）中に二点差線で示す）にほぼ一致するように構成されている。
【００３１】
第１左側面部６３、第１上面部６２、及び第１右側面部６４により形成される前面パネルの後端部に形成される角部６９は、本体ケース５が当接した際にその角部６９に対向する位置に配される本体ケース５の隅部８８よりも外方に突出し、前面パネル６の後端部には、その角部６９から本体ケース５の隅部８８に当接する突き当て部７０にかけて内方に傾斜するテーパ７１が形成されている。
【００３２】
このテーパ７１は、角部６９の先端から突き当て部７０にかけて形成される第１テーパ部７３と、その第１テーパ部７３の両側で角部６９の周辺から突き当て部７０周辺にかけて形成される第２テーパ部７４とから形成されている。第１テーパ部７３は、円錐の側面のように形成され、その円弧状を呈する縦断面（当接面６８に平行な断面）の外形線の曲率半径が、角部６９から突き当て部７０にかけて（つまり後方に向かって）徐々に大きくなり、その突き当て部７０における曲率半径が本体ケース５の隅部８８の曲率半径に略一致するように形成されている。一方、第２テーパ部７４は、段差部６６の当接面６８の外周縁に向かって一定の角度で傾斜するように形成されている。
【００３３】
一方、本体ケース５は、図４に示すように、上記前面パネル６の第１上面部６２に平行な第２上面部８２と、第１左側面部６３に平行な第２左側面部８３と、第１右側面部６４に平行な第２右側面部８４と、第１底面部６５に平行な第２底面部８５と、前面部６１に平行な背面部８６とを有する。この本体ケース５は、例えば長板状の金属板の数箇所を曲げ加工してその端部を溶接するなどして第２上面部８２、第２左側面部８３、第２右側面部８４及び第２底面部８５を形成し、このとき形成された枠体の後端部に板状の背面部８６を溶接などにより接合して形成される。
【００３４】
これら第２上面部８２、第２左側面部８３、第２右側面部８４及び第２底面部８５の各前端部は、前面パネル６の前面部６１と略平行な平面上に配され、前面パネル６の第１上面部６２、第１左側面部６３、第１右側面部６４及び第１底面部６５の各後端部に当接されることにより、前面パネル６と一体となって内部の回路を覆うように設けられる。このとき、前面パネル６が本体ケース５の前面開口部８７を完全に覆うため、筐体４全体の前方からみてシャープなデザインが維持される。
【００３５】
次に、前面パネル６の製造方法の主要部について説明する。図８は前面パネル６の射出成形工程の様子を表す説明図であり、同図（Ａ）は射出成形用金型において前面パネル６の主要部が位置する断面の構成図であり、同図（Ｂ）はそのＣ部拡大図である。
【００３６】
前面パネル６は、予め作製された射出成形用金型９０に樹脂材を充填させて成形される。同図（Ａ）に示すように、この射出成形用金型９０は、前面パネル６の前面側を形成するための第１金型９１と、前面パネル６の背面側を形成する第２金型９２とから構成され、第１金型９１には射出用孔９３が貫通して形成されている。そして、この射出用孔９３を介して、外部から導入した樹脂材を第１金型９１と第２金型９２とにより囲まれるチャンバに充填できるように構成されている。
【００３７】
同図（Ｂ）に示すように、第２金型９２の成形面は、上述した前面パネル６のテーパ７１を形成するためにこれと相補形状になっており、第１金型９１と第２金型９２とのパーティングライン９４（金型の接触面）が、図中点線にて示す平面上にある前面パネル６と本体ケース５との接触面から離れた位置に設定されている。すなわち、第２金型９２は、パーティングライン９４から第１金型９１と離れる側に内方に傾斜するテーパ面成形部９５と、そのテーパ面成形部９５の先端に連続してパーティングライン９４に平行な当接面形成部９６とを有する。このテーパ面成形部９５によりテーパ７１が形成され、当接面形成部９６により当接面６８が形成される。さらに、当接面形成部９６の内側には、上述したガイド用のリブ６７を形成するためのリブ形成溝９７を有する。
【００３８】
そして、同図（Ａ）に示すように、このように構成された第１金型９１と第２金型９２とを組み付けて構成した射出成形用金型９０に対し、射出用孔９３を介して樹脂材を射出することによって前面パネル６の概形を形成できるようになっている。
【００３９】
以上に説明したように、本実施の形態のマイクロコンポ１の筐体４においては、前面パネル６の第１上面部６２に対し、前面部６１、第１左側面部６３及び第１右側面部６４が略直交しておりシャープな形状を実現している。また、本体ケース５は金属板を曲げ加工して形成されるためにその隅部８８が丸みを帯びたＲ形状となっているが、前面パネル６の角部６９が本体ケース５の隅部８８よりも外方に突出してこれを覆い隠すように配置されるため、筐体４全体としてシャープなデザインが維持される。
【００４０】
また、前面パネル６の後端部に、その角部６９から本体ケース５の隅部８８に当接する突き当て部７０にかけて内方に傾斜するテーパ７１が形成され、その角部６９の周辺が滑らかにされているため、ユーザ等の身体に当たっても傷つけることがなく、その使い勝手を良くすることができる。
【００４１】
以上、本発明の好適な実施の形態について説明したが、本発明はその特定の実施の形態に限定されるものではなく、本発明の精神の範囲内での変化変形が可能であることはいうまでもない。
【００４２】
例えば、上記実施の形態では、テーパ７１を前面パネル６の角部６９周辺の小さな範囲にのみ形成した例を示したが、そのテーパ７１を前面パネル６の後端の周囲に沿って大きな範囲で連続的に形成し、そのテーパ７１と、少なくとも前面パネル６の第１上面部６２、第１左側面部６３及び第１右側面部６４と、本体ケース５の第２上面部８２、第２左側面部８３及び第２右側面部８４とが、略連続的な平面を形成するように構成してもよい。
【００４３】
また、上記実施の形態では、テーパ７１を、円錐形状の第１テーパ部７３と、その第１テーパ部７３の両側のフラット形状の第２テーパ部７４とから構成した例を示したが、それ以外のテーパ形状に形成することも可能である。図９はそのテーパの他の構成例を表す説明図であり、図９（Ａ）は図６（Ｂ）に相当する拡大図であり、図９（Ｂ）はこのテーパを有する前面パネルと本体ケースとの接続部の様子を表す部分側面図である。
【００４４】
これらの図に示すように、この前面パネルの段差部２１１の隅部２１２を直角な形状とし、その前面パネル２０６の角部６９から本体ケース５の隅部８８に当接する突き当て部２７０にかけて内方に傾斜するテーパ２７１を形成してもよい。同図の例では、テーパ２７１が、平面状の第１テーパ部２７３及び第２テーパ部２７４から構成され、これら第１テーパ部２７３及び第２テーパ部２７４によって角錐の隣接する２辺の一部が構成されるような形状になっている。
【００４５】
また、上記実施の形態では、本体ケース５を、長板状の金属板の数箇所を曲げ加工して第２上面部８２、第２左側面部８３、第２右側面部８４及び第２底面部８５を一体的に形成した例を示したが、例えば長板状の金属板をコ字状に曲げ加工して第２上面部、第２左側面部及び第２右側面部を成形し、これを別途平板状のシャーシとして形成した第２底面部に接合するようにしてもよい。
【００４６】
さらに、上記実施の形態では、本発明の筐体が適用される電子機器としてマイクロコンポを例に挙げたが、その他のオーディオ機器やコンピュータ機器など、シャープな形状の前面パネルと金属板を曲げ成形した本体ケースとを備えた筐体が用いられる電子機器であれば、同様に適用できることはもちろんである。
【図面の簡単な説明】
【００４７】
【図１】第１の実施の形態にかかる筐体を備えた電子機器の外観を表す斜視図である。
【図２】電子機器の装置本体の外観を表す正面図である。
【図３】電子機器の電気的構成を表すブロック図である。
【図４】筐体の概略構成を表す分解斜視図である。
【図５】筐体を構成する前面パネルの斜め後方からみた概略構成を表す斜視図である。
【図６】前面パネルの構造を表す説明図である。
【図７】前面パネルの構造を表す説明図である。
【図８】前面パネルの射出成形工程の様子を表す説明図である。
【図９】テーパの他の構成例を表す説明図である。
【図１０】従来の電子機器の筐体の概略構成を表す分解斜視図である。
【図１１】従来の前面パネルの形状を表す説明図である。
【図１２】従来の本体ケースと前面パネルとの接続部の構造を表す説明図である。
【符号の説明】
【００４８】
１……マイクロコンポ、４……筐体、５……本体ケース、６，２０６……前面パネル、５１……マイコン、５３……操作部、６１……前面部、６２……第１上面部、６３……第１左側面部、６４……第１右側面部、６５……第１底面部、６６，２１１……段差部、６７……リブ、６８……当接面、６９……角部、７０，２７０……突き当て部、７１，２７１……テーパ、８２……第２上面部、８３……第２左側面部、８４……第２右側面部、８５……第２底面部、８６……背面部、８７……前面開口部、８８……隅部、９０……射出成形用金型、９４……パーティングライン、９５……テーパ面成形部、９６……当接面形成部、９７……リブ形成溝
【図１】
2005236077.tif 000003
【図２】
2005236077.tif 000004
【図３】
2005236077.tif 000005
【図４】
2005236077.tif 000006
【図５】
2005236077.tif 000007
【図６】
2005236077.tif 000008
【図７】
2005236077.tif 000009
【図８】
2005236077.tif 000010
【図９】
2005236077.tif 000011
【図１０】
2005236077.tif 000012
【図１１】
2005236077.tif 000013
【図１２】
2005236077.tif 000014